(57)【特許請求の範囲】
【請求項１】
２枚のガラス板を縁部に設けられる封止部を介し対向配置して内部に空間部を有するガラス体を形成し、前記空間部内にブラインドを設けたブラインド内蔵型複層ガラスを、上下框と左右の縦框を方形状に框組みしてなる框体内に納めた障子において、
前記ブラインドを構成するスラットを開閉操作する操作機構を備えた操作体が、前記ガラス体の一辺に連結され、前記操作体の外周縁部は前記ガラス体と略同厚とされ、
前記操作体の外周縁部には、室内外面にそれぞれ室内外方向に向かって突出する引っ掛けリブが形成され、
前記上下框と縦框には、それぞれ内周面にガラス収納溝が形成され、該ガラス収納溝にガラス押さえ部品を介して前記ブラインド内蔵型複層ガラスの周縁部を納めて固定し、前記ガラス押さえ部品は前記ブラインド内蔵型複層ガラスの室内外面を挟持する挟持部を有し、該挟持部は前記ガラス収納溝の奥側に向かって面する対向面部を有し、該対向面部と前記引っ掛けリブとが対向することを特徴とする障子。
【請求項２】
前記操作体は、少なくとも室外側面及び外周面を構成する金属部材と、少なくとも室内側面を構成する樹脂部材とを備え、前記金属部材に室内外の前記引っ掛けリブが形成されていることを特徴とする請求項１記載の障子。
【発明の詳細な説明】
【技術分野】
【０００１】
本発明は、縦方向複数のスラットをラダーコードで角度可変に支持したブラインドを複層ガラス内に納めてなるブラインド内蔵型複層ガラスを有する障子に関し、特にスラットを開閉操作する操作機構を複層ガラスと一体的に設けたブランド内蔵型複層ガラスを有する障子に関する。
【背景技術】
【０００２】
ブラインドは、縦方向複数のスラットを、該スラットの幅方向に対向する一組の縦紐を有したラダーコードで角度可変に支持し、ラダーコードは上端部が回転軸と連動する回転部品に支持されて構成される。外部からの操作によって回転部品が回転するのに伴い、一組の縦紐が上下逆方向に変位され、ラダーコードに支持されたスラットがそれぞれ一方向に傾斜し、開閉を行うことができる。
【０００３】
ブラインドは、窓サッシの室内側に設けられることが多いが、窓サッシを構成する複層ガラス内に形成される空間部に納められて、室内側からの操作によってスラットを開閉させるものも知られている。かかるブラインド内蔵型複層ガラスとしては、例えば特許文献１に挙げるようなものがある。
【先行技術文献】
【特許文献】
【０００４】
【特許文献１】特開２０１０−２２２９２４号公報
【発明の概要】
【発明が解決しようとする課題】
【０００５】
複層ガラスは、２枚のガラス板を縁部に設けられる封止部を介し対向配置して、該２枚のガラス板間に空間部を形成して構成される。従来のブラインド内蔵型複層ガラスでは、ガラス板間の空間部内にスラットを操作するための操作機構を設け、これをガラス板を介して磁石を用いて操作するようにしていた。したがって、ブラインド内蔵型複層ガラスの縁部は、全周がガラス板と封止部で構成されているから、通常の複層ガラスと同様の構造で、障子の框体に納められていた。
【０００６】
複層ガラスを框体に納める際には、框体の内周面に形成される凹部内に複層ガラスの縁部を収納し、さらに複層ガラスの室内外面を挟持するガラス押さえ部品によって固定をなしていた。また、固定強度を高くするため、複層ガラス外周の封止部に対して、框体側に固定された矢尻状のピンを差し込むなどして、複層ガラスが框体の凹部から抜けないようにしていた。
【０００７】
前述のように、操作機構がガラス板間に密閉されている場合には、操作のために磁石が用いられるが、磁場を発生させない必要があったり、あるいはコスト安定化の観点から、スラットの操作のために磁石を用いない構成とすることが求められる。この場合には、操作機構を複層ガラス間の空間部の外に設ける必要がある。
【０００８】
複層ガラスの空間部外に設けられる操作機構を有する操作体を、複層ガラスと同じ厚みの板状とすることで、操作体と複層ガラスを一体化して框体内に納め、ガラス押さえ部品で固定することができる。しかし、操作体を配置する辺には封止部が存在しないため、そのままでは固定強度を大きくすることができず、框体の強度が小さい場合には、操作体が框体の凹部から抜けてしまうおそれがあった。
【０００９】
本発明は前記課題を鑑みてなされたものであり、操作機構を複層ガラスの外部に設けても、操作体が設けられた辺も含めて固定強度を大きくすることのできるブラインド内蔵型複層ガラスを有する障子を提供することを目的とする。
【課題を解決するための手段】
【００１０】
前記課題を解決するため、本発明に係る障子は、２枚のガラス板を縁部に設けられる封止部を介し対向配置して内部に空間部を有するガラス体を形成し、前記空間部内にブラインドを設けたブラインド内蔵型複層ガラスを、上下框と左右の縦框を方形状に框組みしてなる框体内に納めた障子において、
前記ブラインドを構成するスラットを開閉操作する操作機構を備えた操作体が、前記ガラス体の一辺に連結され、前記操作体の外周縁部は前記ガラス体と略同厚とされ、
前記操作体の外周縁部には、室内外面にそれぞれ室内外方向に向かって突出する引っ掛けリブが形成され、
前記上下框と縦框には、それぞれ内周面にガラス収納溝が形成され、該ガラス収納溝にガラス押さえ部品を介して前記ブラインド内蔵型複層ガラスの周縁部を納めて固定し、前記ガラス押さえ部品は前記ブラインド内蔵型複層ガラスの室内外面を挟持する挟持部を有し、該挟持部は前記ガラス収納溝の奥側に向かって面する対向面部を有し、該対向面部と前記引っ掛けリブとが対向することを特徴として構成されている。
【００１１】
また、本発明に係る障子は、前記操作体は、少なくとも室外側面及び外周面を構成する金属部材と、少なくとも室内側面を構成する樹脂部材とを備え、前記金属部材に室内外の前記引っ掛けリブが形成されていることを特徴として構成されている。
【発明の効果】
【００１４】
本発明に係る障子によれば、操作体の外周縁部には、室内外面にそれぞれ室内外方向に向かって突出する引っ掛けリブが形成されているので、操作体を備えたブラインド内蔵複層ガラスを障子の框体に納めた場合に、框体から操作体を有する辺が抜けることを防止することができ、操作機構が設けられた辺も含めて固定強度を大きくすることができる。
【００１５】
また、本発明に係る障子によれば、金属部材に室内外の前記引っ掛けリブが形成されているので、引っ掛けリブに力が加わっても変形しにくく、固定強度をより大きくすることができる。
【００１６】
さらに、本発明に係る障子によれば、ガラス押さえ部品の挟持部はガラス収納溝の奥側に向かって面する対向面部を有し、対向面部と引っ掛けリブとが対向することにより、ブラインド内蔵複層ガラスが框体から抜ける方向に力が加わった際に、対向面部と引っ掛けリブとが当接して係合し、確実に抜け止めを図ることができる。
【図面の簡単な説明】
【００１７】
【図１】ブラインド内蔵型複層ガラスの斜視図である。
【図２】ブラインド内蔵型複層ガラスを保持した障子の縦断面図である。
【図３】ブラインド内蔵型複層ガラスを保持した障子の横断面図である。
【図４】ブラインドの上辺一側部付近拡大斜視図である。
【図５】ブラインド内蔵複層ガラスの上辺と縦辺とでなすコーナー部付近拡大正面図である。
【図６】図３のうち操作体付近の拡大図である。
【図７】操作体が縦框のガラス収納溝から外れる方向に移動した場合の、操作体付近拡大断面図である。
【発明を実施するための形態】
【００１８】
本発明の実施形態について図面に沿って詳細に説明する。本実施形態では、２枚のガラス板１０，１０間に空間部１２を形成し、該空間部１２内にブラインド４を納めてなるブラインド内蔵型複層ガラス１について説明する。このブラインド内蔵型複層ガラス１は、サッシを構成する障子に納められるものである。図１には、ブラインド内蔵型複層ガラス１の斜視図を示している。
【００１９】
図１に示すように、ブラインド内蔵型複層ガラス１は、ガラス板１０を有し内部にブラインド４を納めたガラス体２と、ブラインド４の開閉操作を行うための開閉機構を内部に備えた操作体３とが、横方向に連結して構成されている。操作体３には、上下方向にスライド操作自在な操作部４４が設けられており、操作部４４をスライド操作することにより、操作体３内の操作機構が動作し、操作機構と連動してブラインド４が開閉する。ブラインド４は、縦方向複数のスラット２０が２つのラダーコード２１で角度可変に支持されている。
【００２０】
図２にはブラインド内蔵型複層ガラス１を保持した障子の縦断面図を、図３にはブラインド内蔵型複層ガラス１を保持した障子の横断面図を、それぞれ示している。障子は、上框５０と下框５１及び左右の縦框５２，５２を方形状に框組みしてなる框体５内に、ブラインド内蔵型複層ガラス１を保持して構成されている。
【００２１】
上框５０は、室外側の金属上框５０ａと室内側の樹脂上框５０ｂにより構成されており、内周面にはブラインド内蔵型複層ガラス１の外周縁部を保持するガラス収納溝５０ｃが形成される。下框５１は、室外側の金属下框５１ａと室内側の樹脂下框５１ｂにより構成されており、内周面にはブラインド内蔵型複層ガラス１の外周縁部を保持するガラス収納溝５１ｃが形成される。また、縦框５２は、室外側の金属縦框５２ａと室内側の樹脂縦框５２ｂにより構成されており、内周面にはブラインド内蔵型複層ガラス１の外周縁部を保持するガラス収納溝５２ｃが形成される。
【００２２】
ブラインド内蔵型複層ガラス１は、ガラス収納溝５０ｃ，５１ｃ，５２ｃに納められるガラス押さえ部品５３を介して外周縁部が挟持固定されている。ガラス押さえ部品５３は、ゴム材料により断面略コ字状に形成され、室内外面がそれぞれブラインド内蔵型複層ガラス１の室内外面に圧接し、挟持固定している。
【００２３】
ブラインド内蔵型複層ガラス１を構成するガラス体２は、２枚のガラス板１０，１０を室内外に対向配置し、封止部１１によって両者を一体化すると共に、ガラス板１０，１０間に空間部１２を形成している。
【００２４】
空間部１２の上辺には、断面略コ字状の上端部品２５が長手方向に沿って設けられており、下辺には断面コ字状の下端部品２６が長手方向に沿って設けられている。また、空間部１２の左右縦辺には、それぞれ断面コ字状の縦端部部品２７，２７が長手方向に沿って設けられている。これらは、ガラス体２の強度向上を図ると共に、ブラインド４の四周周縁部を室内外から覆うことで、意匠性の向上を図るために設けられている。
【００２５】
図２は、スラット２０が全開の状態を表している。複数のスラット２０は、いずれも同形状で同幅に形成されており、全開の際には水平に配置されている。ラダーコード２１は、スラット２０の幅方向に対向する一組の縦紐２１ａ，２１ｂと、一組の縦紐２１ａ，２１ｂ間に渡される横紐２１ｃとを有し、横紐２１ｃ上にスラット２０が載置され支持されている。
【００２６】
ラダーコード２１の上端部は、スラット２０の長手方向に延びる回転軸２２と共に回転する回転部品２３に固定されている。回転軸２２及び回転部品２３は、上端部品２５内に収納されていて、ガラス体２の外方からは見えないように配置されている。
【００２７】
回転部品２３は、一方向に長い扁平状に形成されており、それぞれ断面弧状をなす上面部２３ａと下面部２３ｂを有し、これらの両端部には、それぞれ一組の縦紐２１ａ，２１ｂが固定されてこれらを支持する支持端部２３ｃ，２３ｄが設けられている。回転部品２３は、両支持端部２３ｃ，２３ｄが離隔する一方向の幅がスラット２０の幅と略同幅であり、該一方向と直交する方向の幅がスラット２０の幅よりも小さくなるように形成されている。
【００２８】
図２に示されているように、ラダーコード２１の下端部には、長手方向に沿ってボトムレール２４が設けられている。ボトムレール２４は、スラット２０の幅と略同幅に形成されており、下面側に一組の縦紐２１ａ，２１ｂがそれぞれ固定される。ボトムレール２４が設けられていることにより、ラダーコード２１の下部に重量を付加し、上端部で支持された一組の縦紐２１ａ，２１ｂにテンションを与えることにより、一組の縦紐２１ａ，２１ｂを安定的に上下逆方向に変位させ、下端部のスラット２０まで安定的に開閉させることができる。
【００２９】
図３に示すように、操作体３の縦框５２に保持される外周縁部は、ガラス体２と略同厚となるように形成されている。これにより、ガラス体２と操作体３とを一体化してなるブラインド内蔵複層ガラス１を、通常のガラス体と同様に、框体５内に納めることができる。
【００３０】
図４には、ブラインド４の上辺一側部付近拡大斜視図を示している。この図に示すように、回転軸２２の一端部には、ガラス体２の外部における操作に伴い発生する回転動作を回転軸２２に伝達する操作連動体３０が設けられている。操作連動体３０は、２枚のガラス板１０，１０間の空間部１２内に配置され、一部がガラス体２の外部に露出する。
【００３１】
回転部品２３は、ラダーコード２１の上端部に配置されるピース状の部品として構成されており、回転軸２２が挿入されてこれと一体化する軸挿入部２３ｅがスラット２０の長手方向に沿って形成されている。また、前述のように、回転部品２３の両端部には、一組の縦紐２１ａ、２１ｂを支持する支持端部２３ｃ，２３ｄが設けられており、回転部品２３でラダーコード２１を吊り下げた状態としている。
【００３２】
図５には、ブラインド内蔵複層ガラス１の上辺と縦辺とでなすコーナー部付近拡大正面図を示している。この図には、ブラインド内蔵複層ガラス１の内部構造も示している。操作部４４は、上下にスライド操作自在となっており、操作機構４０は、この上下動を回転軸２２の回転方向の動作に変換する。
【００３３】
操作機構４０は、操作部４４の上下動と連動して上下動する線状の連係具４５が設けられる。連係具４５の上端部は、上下方向の直線運動を、水平方向を軸とした回転運動に変換する回転変換部４６に連結されている。回転変換部４６は、回転軸２２と同軸のウォームギアと、該ウォームギアと噛み合うウォームホイールによって構成することができ、操作部４４の上下動によりウォームホイールが回転するように、連係具４５がウォームホイールに取付けられる。回転変換部４６により、操作部４４における上下方向の直線運動を、回転軸２２の回転方向の運動に変換することができ、これにより回転軸２２が回転することで、前述のようにスラット２０を開閉させることができる。
【００３４】
操作体３の構成につきより詳細に説明する。図６には、図３のうち操作体３付近の拡大図を示している。前述のように、操作体３は断面中空状に形成されており、内部にはブラインド４を構成するスラット２０を開閉操作する操作機構４０が納められる。操作体３は、室外側面及び外周面を構成する金属部材４１と、室内側面を構成する樹脂部材４２とが一体化されて形成されている。樹脂部材４２は、外周端部で金属部材４１に対して係合固定されている。
【００３５】
ブラインド内蔵複層ガラス１のうち操作体３の縦辺を納める縦框５２は、室外側の金属縦框５２ａと室内側の樹脂縦框５２ｂとによって、内周面にガラス収納溝５２ｃを形成しており、金属縦框５２ａの内周端部には、ブラインド内蔵複層ガラス１の室外面を挟持するための室外突部５２ｄが、樹脂縦框５２ｂの内周端部には、ブラインド内蔵複層ガラス１の室内面を挟持するための室内突部５２ｅが、それぞれ形成されている。
【００３６】
ブラインド内蔵複層ガラス１の周縁部を四周に渡って保持するガラス押さえ部品５３は、前述のように断面略コ字状となっており、ブラインド内蔵複層ガラス１の外周面と対向する底面部５３ａを有している。底面部５３ａの室内外端からそれぞれ内周側に伸びる部分の先端部には、ブラインド内蔵複層ガラス１の室内外面をそれぞれ挟持する方向に押圧する押圧部５３ｂが形成されていて、それぞれ縦框５２の室外突部５２ｄと室内突部５２ｅに押圧される。
【００３７】
押圧部５３ｂとブラインド内蔵複層ガラス１の室内外面の間には、平面状の挟持部材５３ｃが設けられており、挟持部材５３ｃがブラインド内蔵複層ガラス１の室内外面に直接当接して、これを挟持している。挟持部材５３ｃはある程度の厚みを有しており、ガラス収納溝５２ｃの奥側に向かって面する対向面部５３ｄを備える。
【００３８】
ブラインド内蔵複層ガラス１を構成する操作体３は、外周縁部の室内外面に、それぞれ室内外方向に向かって突出する引っ掛けリブ４３，４３を有している。引っ掛けリブ４３，４３は、いずれも操作体３のうち金属部材４１に形成されている。引っ掛けリブ４３，４３は、それぞれガラス押さえ部品５３の挟持部材５３ｃが有する対向面部５３ｄ，５３ｄと、ガラス収納溝５２ｃの深さ方向において互いに対向している。
【００３９】
図７には、操作体３が縦框５２ｂのガラス収納溝５２ｃから外れる方向に移動した場合の、操作体３付近拡大断面図を示している。この図に示すように、操作体３が縦框５２ｂのガラス収納溝５２ｃから外れる方向、すなわち、框体５の内周側に移動すると、操作体３に形成された引っ掛けリブ４３，４３が、ガラス押さえ部品５３の挟持部材５３ｃが備える対向面部５３ｄ，５３ｄにそれぞれ当接し、操作体３がそれ以上抜けないように両者が互いに係合する。
【００４０】
このように、操作体３の外周縁部の室内外面に、それぞれ室内外方向に向かって突出する引っ掛けリブ４３，４３を形成し、これがガラス押さえ部品５３の対向面部５３ｄと対向するように配置したことにより、衝撃が加わることなどによりブラインド内蔵複層ガラス１の操作体３が縦框５２のガラス収納溝５２ｃから外れる方向に移動しても、引っ掛けリブ４３と対向面部５３ｄとの係合によって、操作体３の抜け止めをなすことができるから、操作機構４０をガラス体２の外部に設けた構造でありながら、操作機構４０が設けられた辺も含めてブラインド内蔵複層ガラス１の固定強度を大きくすることができる。
【００４１】
また、引っ掛けリブ４３は、操作体３を構成する金属部材４１に形成されているので、樹脂部材４２に形成される場合に比べて強度が大きく、抜け止めの強度をより大きくすることができる。
【００４２】
以上、本発明の実施形態について説明したが、本発明の適用は本実施形態には限られず、その技術的思想の範囲内において様々に適用されうるものである。
【符号の説明】
【００４３】
１    ブラインド内蔵型複層ガラス
２    ガラス体
３    操作体
４    ブラインド
５    框体
１０    ガラス板
１１    封止部
１２    空間部
２０    スラット
２１    ラダーコード
２２    回転軸
２３    回転部品
２４    ボトムレール
４０    操作機構
４１    金属部材
４２    樹脂部材
４３    引っ掛けリブ
５０    上框
５１    下框
５２    縦框
５２ａ  金属縦框
５２ｂ  樹脂縦框
５２ｃ  ガラス収納溝
５２ｄ  室外突部
５２ｅ  室内突部
５３    ガラス押さえ部品
５３ａ  底面部
５３ｂ  押圧部
５３ｃ  挟持部材
５３ｄ  対向面部
【図１】
0006010780.tif 000002
【図２】
0006010780.tif 000003
【図３】
0006010780.tif 000004
【図４】
0006010780.tif 000005
【図５】
0006010780.tif 000006
【図６】
0006010780.tif 000007
【図７】
0006010780.tif 000008